(57)【要約】【課題】記憶媒体アダプタを情報処理装置から取り外すことなしに、情報処理装置に対する記憶媒体の着脱を可能にし、選択的に記憶媒体もしくは記憶媒体アダプタの何れか一方をイジェクトすることを可能にし、操作性の向上等を可能とする。【解決手段】記憶媒体１５を記憶媒体アダプタ１６から排出する場合は、駆動モータ２１の正回転により、第１搬送ローラ７８が反時計回りに９０度回転し、円弧部分が記憶媒体１５に接触することで、第１搬送ローラ７８と第１従動ローラ８５により記憶媒体１５を排出する。記憶媒体アダプタ１６をソケット４１から排出する場合は、駆動モータ２１の逆回転により、第２搬送ローラ８０が反時計回りに１８０度回転し、円弧部分が記憶媒体１５に接触することで、第２搬送ローラ８０と第２従動ローラ８８により記憶媒体アダプタ１６を排出する。【選択図】      図６
2004280261.tif 000002
【特許請求の範囲】
【請求項１】
記憶媒体を着脱可能に収納する記憶媒体アダプタが着脱可能に装着される装着手段と、前記記憶媒体アダプタが前記装着手段に装着された状態で、選択的に前記記憶媒体と前記記憶媒体アダプタの何れか一方又は両方を排出する排出手段とを備えることを特徴とする記憶媒体等排出機構。
【発明の詳細な説明】
【０００１】
【発明の属する技術分野】
本発明は、内部に電子データを蓄積した記憶媒体を情報処理装置に対し、記憶媒体アダプタを介して着脱或いは直接着脱する場合に好適な記憶媒体等排出機構に関する。
【０００２】
【従来の技術】
近年、様々な種類の記憶媒体の規格を統一する動きが盛んになってきているが、各種規格の中でも一般的になった規格としては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）の規格がある。これに伴い、ＰＣＭＣＩＡ規格に対応する様々な情報処理装置、例えばコンピュータなどが発売されている。他方、例えば電子手帳や電子カメラなどの機器において使用される専用の小型形状の記憶媒体として、上記ＰＣＭＣＩＡ規格に対応させたＰＣＭＣＩＡカードが普及している。この場合、ＰＣＭＣＩＡカードの仕様に合わせてコンピュータから該ＰＣＭＣＩＡカードにアクセス可能とする記憶媒体アダプタも実用化されている。
【０００３】
従来は、上記のような記憶媒体アダプタに記憶媒体を取り付け、該記憶媒体アダプタを情報処理装置に挿入し、記憶媒体を交換する場合は記憶媒体アダプタごと情報処理装置から排出した後、記憶媒体アダプタから記憶媒体を取り外すという操作を行っている。即ち、情報処理装置が記憶媒体に蓄積されている電子データを読み出し、または逆に情報処理装置から記憶媒体へ電子データを書き込んだ後、別の記憶媒体を使用したい場合には、記憶媒体アダプタを情報処理装置から一旦取り外し、記憶媒体アダプタから記憶媒体を取り外して別の記憶媒体に交換し、別の記憶媒体を記憶媒体アダプタに再び装着した後、記憶媒体アダプタを情報処理装置に挿入しなければならないと言う煩わしさがあった。
【０００４】
上記のような、情報処理装置に対する記憶媒体アダプタを介した記憶媒体の着脱に関する操作性の向上を図るため、情報処理装置に記憶媒体が記憶媒体アダプタを介して装着された状態で、記憶媒体のみを情報処理装置から手動により排出可能とした方法も提案されている（例えば、特許文献１参照。）。
【０００５】
【特許文献１】
特開平７−２３９９２３号公報
【０００６】
【発明が解決しようとする課題】
しかしながら、上記従来技術においては次のような問題があった。情報処理装置が、該情報処理装置に挿入された記憶媒体アダプタに装着された記憶媒体の電子データを読み出した後に、別の記憶媒体に交換する場合は、操作者が記憶媒体アダプタを情報処理装置から一旦取り外し、該取り外した記憶媒体を別の記憶媒体に交換して、再び記憶媒体アダプタに装着した後に、記憶媒体アダプタを情報処理装置へ挿入しなければならず、着脱時の操作が煩わしいという問題があった。
【０００７】
また、上記の点から、情報処理装置に対する記憶媒体アダプタの着脱操作を不必要に行うことになるため、記憶媒体アダプタのコネクタと情報処理装置のコネクタとの間の電気的接続の接触不良の発生や、不用意な負荷がコネクタにかかりコネクタを破損させる恐れがあり、コネクタの信頼性を損なうという問題があった。
【０００８】
また、上記特開平７−２３９９２３号公報で提案されている記憶媒体着脱方法の場合は、記憶媒体を排出するためのイジェクト機構を備えた専用の記憶媒体アダプタが必要となる。
【０００９】
また、小型形状の記憶媒体のためだけに小型の専用ソケットを情報処理装置に装備することで、記憶媒体を挿抜可能としているものもあるが、この場合は、同一の専用ソケットを用いて、汎用性のあるＰＣＭＣＩＡ規格に準拠した記憶媒体を使用することができなくなり（具体的には、例えば図２７において、符号１８で示すＰＣＭＣＩＡカードが着脱可能な専用ソケットに、符号１５で示すＰＣＭＣＩＡ規格に準拠した記憶媒体を装着することはできない）、情報処理装置の操作拡張性がなく利便性が悪い。
【００１０】
本発明の目的は、上述した問題点に鑑みなされたものであり、記憶媒体アダプタを情報処理装置から取り外すことなしに、情報処理装置に対する記憶媒体の着脱を可能にし、選択的に記憶媒体もしくは記憶媒体アダプタの何れか一方をイジェクトすることを可能にし、操作性の向上等を可能とした記憶媒体等排出機構を提供することである。
【００１１】
【課題を解決するための手段】
上記目的を達成するため、本発明は、記憶媒体を着脱可能に収納する記憶媒体アダプタが着脱可能に装着される装着手段と、前記記憶媒体アダプタが前記装着手段に装着された状態で、選択的に前記記憶媒体と前記記憶媒体アダプタの何れか一方又は両方を排出する排出手段とを備えることを特徴とする。
【００１２】
【発明の実施の形態】
以下、本発明の実施の形態を図面を参照して詳細に説明する。
【００１３】
本実施形態の情報処理装置及び該情報処理装置が備えるオートイジェクト機構について図１〜図２７により説明するにあたり、先ず、電子データの読み出し及び書き込み等を行うための情報処理装置と記憶媒体と記憶媒体アダプタの概略的な構成を図２５〜図２８により説明する。
【００１４】
図２５は情報処理装置の外観を示す斜視図である。情報処理装置１１は、コンピュータもしくは電子データベース装置として構成されており、例えばＰＣＭＣＩＡ規格に準拠した記憶媒体を挿抜可能とする開口部１２と、該開口部１２に対応して情報処理装置内部に配設された記憶媒体保持部（オートイジェクト機構を構成する後述の各種ローラやソケットなど）を備えている。更に、情報処理装置１１は、他の種類の記憶媒体（例えばコンパクトディスクなど）を挿抜可能とする開閉部１３と、他の機器との間で電子データの送信並びに受信を行う時に使用する各種コネクタジャック部１４を備えている。
【００１５】
図２６は情報処理装置と記憶媒体と記憶媒体アダプタの外観を示す斜視図である。記憶媒体１５は、例えば電子手帳や電子カメラなどの各機器に記憶された電子データを蓄積したり情報処理装置を介して加工したりするための記憶媒体である。記憶媒体アダプタ１６は、記憶媒体１５を情報処理装置１１であるコンピュータもしくは電子データベース装置へ挿抜可能にし、且つＰＣＭＣＩＡ規格に準拠するように変換する記憶媒体アダプタである。この図２６では、記憶媒体１５が記憶媒体アダプタ１６に装着され収納された状態で、情報処理装置１１の開口部１２から取り出されている状態を示している。
【００１６】
図２７（Ａ）〜図２７（Ｃ）は記憶媒体と記憶媒体アダプタの外観を示す斜視図である。図２７（Ａ）において、１８はＰＣＭＣＩＡ規格に準拠したＰＣＭＣＩＡカードである。また、図２７（Ｂ）及び図２７（Ｃ）において、１５は記憶媒体、１６は記憶媒体アダプタである。記憶媒体アダプタ１６は、記憶媒体１５を着脱可能に収納する開口収納部１７を備えている。記憶媒体アダプタ１６の仕様寸法は、ＰＣＭＣＩＡカードと同じ仕様寸法（例えば、短辺５４．０ｍｍ、長辺８５．６ｍｍ）となっている。
【００１７】
ここで、記憶媒体には色々な種類があるが、一例として、記憶媒体としてのＣｏｍｐａｃｔ  Ｆｌａｓｈ（登録商標）Ｃａｒｄ（以下ＣＦカード）と、記憶媒体アダプタとしてのＣｏｍｐａｃｔ  Ｆｌａｓｈ（登録商標）Ｃａｒｄ  Ａｄａｐｔｅｒ（以下ＣＦカードアダプタ）との関係を説明する。ＣＦカードは、その平面板状体の厚さ方向の寸法が、ＰＣＭＣＩＡカードの平面板状体の厚さ寸法より値が小さいＴｙｐｅＩ（厚さ３．３ｍｍ）と、ＰＣＭＣＩＡカードの平面板状体の厚さ寸法と同じ値のＴｙｐｅＩＩ（厚さ５．０ｍｍ）の２種類が汎用化されている。これらのＴｙｐｅＩのＣＦカードとＴｙｐｅＩＩのＣＦカードにおいては、厚さ以外の仕様寸法（短辺３６．４ｍｍ、長辺４２．５ｍｍ）は、特にＣＦカードアダプタと接する部分については同一である。
【００１８】
ただし、ＣＦカード及びＣＦカードアダプタのコネクタの接続位置により、ＴｙｐｅＩのＣＦカードは厚さ方向でＣＦカードアダプタの平面板状体の何れかの面側に寄っているが、情報処理装置１１への挿抜動作には支障がない。つまり、記憶媒体アダプタ１６に記憶媒体１５を装着した状態での仕様が、ＰＣＭＣＩＡカードの仕様より出っ張らないようになっていれば、ＰＣＭＣＩＡ規格に準拠した記憶媒体保持部の開口部１２への挿抜が可能であることが理解できる。
【００１９】
図２８は情報処理装置１１の電気的構成を示すブロック図である。情報処理装置１１は、情報処理装置全体の制御を司る中央処理装置１１１、中央処理装置１１１が実行するプログラム及び固定データを格納したＲＯＭ１１２、中央処理装置１１１の作業領域及び一時記憶領域として使用されるＲＡＭ１１３、記憶媒体アダプタ１６を装着した状態で、選択的に記憶媒体１５もしくは記憶媒体アダプタ１６の何れか一方または両方を自動でイジェクトするオートイジェクト機構１１４、オートイジェクト機構１１４の電気基板を介して記憶媒体に対し電力の供給及びデータの入出力を行う入出力部１１５、キーボード、ポインティングデバイス等の操作部１１６、ディスプレイ等の表示部１１７を備えている。
【００２０】
中央処理装置１１１は、オートイジェクト機構１１４の動作を制御すると共に、入出力部１１５及びオートイジェクト機構１１４の電気基板を介して、記憶媒体１５（もしくはＰＣＭＣＩＡカード）に対する電力の供給、電気的制御、記憶媒体１５（もしくはＰＣＭＣＩＡカード）に対する電子データの書き込み、読み出しを行う。操作部１１６からは、オートイジェクト機構１１４のソケットに記憶媒体アダプタ１６が装着された状態で、選択的に記憶媒体１５もしくは記憶媒体アダプタ１６の何れか一方または両方のイジェクト動作（もしくはソケットからのＰＣＭＣＩＡカードのイジェクト動作）の指示が可能である。
【００２１】
次に、情報処理装置１１が備えるオートイジェクト機構の詳細を説明する。
【００２２】
図１〜図４はオートイジェクト機構の部分を情報処理装置１１から抜き出して示した斜視図である。図１はオートイジェクト機構をその正面に対し右斜め上方から見た場合の図であり、図２はオートイジェクト機構をその正面に対し左斜め上方から見た場合の図である。図３は図１の内部構造を示すためにシャーシの一部を除去した図であり、図４は図２の内部構造を示すためにシャーシの一部を除去した図である。尚、オートイジェクト機構の正面側は、記憶媒体１５が挿抜される、図１の矢印方向側である。
【００２３】
図３及び図４に示す２１は、オートイジェクト機構の駆動源としての駆動モータであり、正回転もしくは逆回転が可能である。図１〜図４に示す２２は、伝達減速機構としての減速歯車列であり、この減速歯車列２２により、駆動モータ２１の駆動力である回転速度を最適な回転速度へ減速することで駆動力を伝達して行く。
【００２４】
図１〜図４に示す２７は、歯車２３と歯車２４とにより歯車２５の方向と歯車２６の方向へ駆動力を分岐させ伝達して行く分岐伝達機構としての分岐歯車列である。分岐歯車列２７による駆動力を分岐する際に、歯車２６は歯車２４を中継して駆動力が伝達されるので、歯車２６の回転方向は歯車２５の回転方向とは逆回転の関係になっている。本構成では、分岐歯車列２７の歯車２３〜２６を全て同一歯数として簡単にしてある。
【００２５】
図１〜図４に示す３０は、上述した駆動モータ２１と伝達減速機構としての減速歯車列２２と伝達分岐機構としての分岐歯車列２７とを支えている駆動用板金である。３２は、オートイジェクト機構の枠体となる枠用板金である。３３は、後述するように回動自在に設けられた第１揺動板金である。同様に、３４は、後述するように回動自在に設けられた第２揺動板金である。第１揺動板金３３及び第２揺動板金３４それぞれは、記憶媒体１５を挟み込んで対向する位置関係にある。
【００２６】
図１に示す３５は、第１揺動板金３３を記憶媒体１５側へ付勢する第１揺動ねじりバネであり、枠用板金３２と第１揺動板金３３の間に設けられている。同様に、図２に示す３６は、第２揺動板金３４を記憶媒体１５側へ付勢する第２揺動ねじりバネであり、枠用板金３２と第２揺動板金３４の間に設けられている。
【００２７】
図１及び図２に示す３７と３８は、第１揺動ねじりバネ３５により付勢された第１揺動板金３３の回動を規制するものであり、枠用板金３２に設けられた揺動板金規制部である。同様に、図１及び図２に示す３９と４０は、第２揺動ねじりバネ３６により付勢された第２揺動板金３４の回動を規制するものであり、枠用板金３２に設けられた揺動板金規制部である。これにより、第１揺動板金３３と第２揺動板金３４は、それぞれ、揺動板金規制部３７、３８、揺動板金規制部３９、４０に接触した位置、つまり記憶媒体１５と一定の距離を有する状態に保たれる。
【００２８】
図５〜図１９はオートイジェクト機構の内部構造を示す斜視図である。図５〜図１７はオートイジェクト機構の内部構造をその正面に対し右斜め上方から見た図であり、図１８〜図１９はオートイジェクト機構の内部構造をその正面に対し左斜め上方から見た図であり、それぞれオートイジェクト機構の各動作状態を示す図である。
【００２９】
図５〜図１９においては、オートイジェクト機構の内部構造が理解し易いように以下の部品を省略した。省略した部品は、駆動用板金３０、枠用板金３２、第１揺動板金３３、第２揺動板金３４、第１揺動ねじりバネ３５、第２揺動ねじりバネ３６、駆動モータ２１、減速歯車列２２、伝達分岐歯車列２７、並びにこれらに付随したネジ、軸、軸受け、Ｅリングなどである。これら部品の省略により、図５〜図１９において、オートイジェクト機構の内部を構成する各部品が空中に浮いているように見えるが、省略した部品にそれぞれ固定もしくは回転自在に取り付けられている。尚、下記では図５〜図１９に加えて図１〜図４も適宜参照しながら説明する。
【００３０】
図１８及び図１９に示す４１は、ＰＣＭＣＩＡ規格に準拠して、記憶媒体アダプタ１６もしくはＰＣＭＣＩＡカードを装着可能な汎用化されているソケットである。４２は、ソケット４１から記憶媒体アダプタ１６もしくはＰＣＭＣＩＡカードを操作者が手動で排出可能とするイジェクトレバーであり、イジェクトレバー４２の先端部分は、情報処理装置１１の開口部１２に位置するように構成されている。４３は、ソケット４１に付随して配設されている電気基板であり、電気基板４３はソケット４１と共に、駆動用板金３０と枠用板金３２に位置決めされて固定されている。電気基板４３から情報処理装置１１内部への電気配線は省略する。
【００３１】
図３、図４〜図１７に示す７６は、上端部に歯車２５が取り付けられると共に駆動力を中継する軸を兼ね、且つ第１揺動板金３３の回動中心となる第１回動中心軸である。また、第１回動中心軸７６の下端部には歯車７３が取り付けられている。第１回動中心軸７６は、歯車２５及び歯車７３と一体となって回転自在に、それぞれ駆動用板金３０と枠用板金３２に軸受けを介して取り付けられている。
【００３２】
図３に示す７１は、第１回動中心軸７６の駆動力を伝達して行く第１伝達歯車列である。本構成では、第１伝達歯車列７１の歯車７２〜７５を全て同一歯数として簡単にしてある。第１揺動板金３３は、軸受けを介して回動自在に第１回動中心軸７６に取り付けられ、歯車７４は、回転自在に第１揺動板金３３に取り付けられている。第１揺動板金３３が回動をしても、歯車７３と歯車７４の間隔は一定に保たれ駆動力の伝達が行われる。
【００３３】
図３に示す７７は、歯車７５が取り付けられた第１搬送ローラ軸であり、第１搬送ローラ軸７７は、第１揺動板金３３に軸受けを介して取り付けられている。７８は、第１搬送ローラ軸７７に取り付けられた横断面形状が扇形状の第１搬送ローラである。第１搬送ローラ７８は、歯車７５の一定方向の回転駆動力のみを伝達する一方向クラッチ（例えばバネクラッチ）を内蔵している。歯車７５と第１搬送ローラ７８は、一体で回転自在となっている。ここでの一定方向とは、オートイジェクト機構を上方から見て反時計回りの方向であり、第１回動中心軸７６が反時計回りに回転した時に第１搬送ローラ７８に駆動力が伝達される。
【００３４】
図５〜図１７に示す第１搬送ローラ７８は、外周部分が円弧状部分（長半径の部分）と直線を含む部分（短半径の部分）からなる扇形状の形状を有する。第１搬送ローラ７８は、円弧状の弾性体部分が記憶媒体１５に接触することで、オートイジェクト機構に対する記憶媒体１５の着脱方向の搬送を可能にしており、第１揺動板金３３の回動と第１揺動ねじりバネ３５の作用により記憶媒体１５の厚さ方向に最適な圧力が掛かるようになっている。このため、厚さが異なる複数種類の記憶媒体１５に対応することが可能である。
【００３５】
また、第１搬送ローラ７８の短半径の部分が記憶媒体１５側へ向いたときは、第１揺動板金３３の回動と揺動板金規制部３７及び３８の作用により、オートイジェクト機構に対する記憶媒体１５と記憶媒体アダプタ１６の着脱時において、記憶媒体１５と記憶媒体アダプタ１６に第１搬送ローラ７８が接触しないようになっている。
【００３６】
図３に示す７９は、歯車７２が取り付けられた第２搬送ローラ軸である。８０は、第２搬送ローラ軸７９に取り付けられた扇形状の第２搬送ローラである。第２搬送ローラ８０は、歯車７２の一定方向の回転駆動力のみを伝達する一方向クラッチを内蔵している。歯車７２と第２搬送ローラ８０は、一体で回転自在となっている。ここでの一定方向とは、オートイジェクト機構を上方から見て反時計回りの方向であり、第１回動中心軸７６が時計回りに回転した時に第２搬送ローラ８０に駆動力が伝達される。
【００３７】
図５〜図１７に示す第２搬送ローラ８０は、外周部分が円弧状部分（長半径の部分）と直線を含む部分（短半径の部分）からなる扇形状の形状を有する。第２搬送ローラ８０は、円弧状の弾性体部分が記憶媒体アダプタ１６に接触することで、オートイジェクト機構に対する記憶媒体アダプタ１６の着脱方向の搬送を可能にしている。第２搬送ローラ８０の短半径の部分が記憶媒体アダプタ１６側へ向いたときは、オートイジェクト機構に対する記憶媒体アダプタ１６の着脱時において、記憶媒体アダプタ１６に第２搬送ローラ８０が接触しないようになっている。
【００３８】
一方、図４に示す８６は、上端部に歯車２６が取り付けられると共に駆動力を中継する軸を兼ね、且つ第２揺動板金３４の回動中心となる第２回動中心軸である。また、第２回動中心軸８６の下端部には歯車８３が取り付けられている。第２回動中心軸８６は、歯車２６及び歯車８３と一体となって回転自在に、駆動用板金３０と枠用板金３２に軸受けを介して取り付けられている。８１は、第２回動中心軸８６の駆動力を伝達して行く第２伝達歯車列である。本構成では、第２伝達歯車列８１の歯車８２及び歯車８３を同一歯数として簡単にしてある。第２揺動板金３４は、軸受けを介して回動自在に第２回動中心軸８６に取り付けられている。
【００３９】
図４に示す８４は、回転自在に設けられた第１従動ローラ軸であり、第１従動ローラ軸８４は、第２揺動板金３４に軸受けを介して取り付けられている。８５は、第１従動ローラ軸８４に取り付けられると共に、第１搬送ローラ７８（図３参照）に対し記憶媒体１５を挟んで対向する位置に設けられた円筒形状の第１従動ローラである。
【００４０】
第１従動ローラ８５は、外周の弾性体部分が記憶媒体１５に接触し、オートイジェクト機構に対する記憶媒体１５及び記憶媒体アダプタ１６の着脱時に、その着脱方向（移動方向）に従って回転することで、記憶媒体１５及び記憶媒体アダプタ１６の着脱方向の搬送を可能にしている。また、第２揺動板金３４の回動と第２揺動ねじりバネ３６の作用により、記憶媒体１５の厚さ方向に最適な圧力が掛かるようになっている。このため、厚さの異なる複数種類の記憶媒体１５に対応することが可能である。
【００４１】
また、第１従動ローラ８５は、第１揺動板金３４の回動と揺動板金規制部３９、４０の作用により、第１搬送ローラ７８側へ必要以上に回動しないように規制される。第１搬送ローラ７８と第１従動ローラ８５とにより記憶媒体１５を挟持することで、記憶媒体１５及び記憶媒体アダプタ１６を着脱方向に搬送することができる。
【００４２】
図４に示す８７は、歯車８２が取り付けられた第２従動ローラ軸である。８８は、第２従動ローラ軸８７に取り付けられると共に、第２搬送ローラ８０（図３参照）に対し記憶媒体アダプタ１６を挟んで対向する位置に設けられた円筒形状の第２従動ローラである。第２従動ローラ８８は、歯車８２の一定方向の回転駆動力のみを伝達する一方向クラッチを内蔵している。歯車８２と第２従動ローラ８８は、一体で回転自在となっている。ここでの一定方向とは、オートイジェクト機構を上方から見て反時計回り方向であり、第２回動中心軸８６が時計回りに回転した時に第２従動ローラ８８に駆動力が伝達される。
【００４３】
図４に示す８９は、第２回動中心軸８６に設けられると共に、第２従動ローラ８８に必要以上の負荷が掛かったときにその伝達力を規制するトルクリミッタである。
【００４４】
図３、図５〜図１７に示す９１は、記憶媒体１５の有無を検知する検知手段としての第１マイクロスイッチであり、９２は、記憶媒体アダプタ１６の有無を検知する検知手段としての第２マイクロスイッチである。第１マイクロスイッチ９１と第２マイクロスイッチ９２が共にＯＦＦであれば、ソケット４１に何も装着されていないことが検知される。この場合、オートイジェクト機構は、記憶媒体１５及び記憶媒体アダプタ１６のどちらの排出動作も行わない。
【００４５】
情報処理装置１１に記憶媒体アダプタ１６単体のみで装着する場合は、情報処理装置１１の開口部１２から記憶装置アダプタ１６を挿入すると、第１マイクロスイッチ９１がＯＮとなり、そののち記憶媒体アダプタ１６は更に情報処理装置内部へ進行する。ソケット４１に記憶媒体アダプタ１６が装着された位置では、記憶媒体アダプタ１６の、記憶媒体１５を装着可能な開口収納部１７において第１マイクロスイッチ９１がＯＦＦとなり、第２マイクロスイッチ９２がＯＮとなるので（図１０参照）、確実に記憶媒体アダプタ１６がソケット４１に装着されたことが検知される。この場合、オートイジェクト機構は、記憶媒体アダプタ１６のみ排出動作が可能である。
【００４６】
また、情報処理装置１１から記憶媒体アダプタ１６単体のみで排出する場合は、第２マイクロスイッチ９２がＯＦＦした後に、第１マイクロスイッチ９１のＯＮとＯＦＦが行われるので（図１１、図１２参照）、確実に記憶媒体アダプタ１６が排出されたことが検知される。
【００４７】
第２マイクロスイッチ９２がＯＮ状態のときに、第１マイクロスイッチ９１がＯＮ／ＯＦＦすることで記憶媒体１５の有無が検知される。オートイジェクト機構において記憶媒体アダプタ１６もしくは記憶媒体１５の排出動作を選択的に行う。
【００４８】
第１マイクロスイッチ９１のＯＮとＯＦＦが行われた後でも、第２マイクロスイッチ９２がＯＦＦ状態のままでは、情報処理装置１１は記憶媒体アダプタ１６が装着されていないと判断し、オートイジェクト機構における排出動作は行わない。
【００４９】
第１マイクロスイッチ９１がＯＮしてこの状態のまま直後に、第２マイクロスイッチ９２がＯＮした場合は、記憶媒体１５を装着した状態の記憶媒体アダプタ１６もしくはＰＣＭＣＩＡカードが挿入されたと情報処理装置１１が判断することとなり、オートイジェクト機構における排出動作を行わない。しかしながら、情報処理装置１１において電子データの読み込みや書き込みのアクセス動作を行うことで、情報処理装置内に挿入されたものが記憶媒体１５であるかＰＣＭＣＩＡカードであるかの判別が可能であり、電子データのアクセス処理後にオートイジェクト機構による記憶媒体１５もしくは記憶媒体アダプタ１６もしくはＰＣＭＣＩＡカードの排出動作を選択的に行う。
【００５０】
第１マイクロスイッチ９１がＯＦＦの状態で、第２マイクロスイッチ９２のＯＮ／ＯＦＦが行われる場合は、ＰＣＭＣＩＡカードもしくは記憶媒体１５と記憶媒体アダプタ１６との組み合わせではあり得ないので、情報処理装置１１はオートイジェクト機構の排出動作を行わないだけでなく、電子データへのアクセス処理も行わない。
【００５１】
図３、図５〜図１７に示す９３は、第１搬送ローラ７８の上部に取り付けられ、第１搬送ローラ７８の回転位置を検知するための第１センサフラグである。第１センサフラグ９３には、第１搬送ローラ７８の長半径部分の中央位置と位相を合わせた切り欠きが設けられている。９４は、第１センサフラグ９３の回転位置を検知する手段としての第１フォトンタラプタであり、第１揺動板金３３上に設けられている。
【００５２】
同様に、図３、図５〜図１７に示す９５は、第２搬送ローラ８０の上部に取り付けられ、第２搬送ローラ８０の回転位置を検知するための第２センサフラグである。第２センサフラグ９５には、第２搬送ローラ８０の長半径部分の中央位置と位相を合わせた切り欠きが設けられている。９６は、第２センサフラグ９５の回転位置を検知する手段としての第２フォトンタラプタであり、枠用板金３２上に設けられている。
【００５３】
第１搬送ローラ７８の円弧部分の中央位置と第２搬送ローラ８０の円弧部分の中央位置とを、記憶媒体１５及び記憶媒体アダプタ１６から鉛直に遠ざかる方向へ円弧部分を向けた状態（図５参照）にある場合を待機位置とし、０度と定義する。
【００５４】
第２搬送ローラ８０の扇形状体の円弧部分の半径寸法は、第１搬送ローラ７８の扇形状体の円弧部分の半径寸法より小さく構成されている。これは、記憶媒体１５を記憶媒体アダプタ１６から引き抜く力よりも、記憶媒体アダプタ１６をソケット４１から引き抜く力の方が大きいためであり、駆動モータ２１に掛かる負荷が、記憶媒体１５または記憶媒体アダプタ１６のどちらのイジェクト（記憶媒体１５を記憶媒体アダプタ１６から引き抜くイジェクト、記憶媒体アダプタ１６をソケット４１から引き抜くイジェクト）を選択しても、ほぼ同じになるように配慮してある。尚、第１伝達歯車列７１において歯車減速比を調整しても同じ効果を得ることができる。
【００５５】
ここで、オートイジェクト機構により記憶媒体１５及び記憶媒体アダプタ１６を排出する動作について順番に説明する。尚、オートイジェクト機構を構成する各部材の動作は上述した説明により明らかである。
【００５６】
先ず、操作者は、開口収納部１７に記憶媒体１５が装着され収納された記憶媒体アダプタ１６を情報処理装置１１に装着した状態で、情報処理装置１１の操作部などを介して、記憶媒体１５もしくは記憶媒体アダプタ１６の何れか一方を自動イジェクトすることを選択する。
【００５７】
図５〜図９は記憶媒体１５を記憶媒体アダプタ１６から排出する状態を示す斜視図である。図５は、記憶媒体１５が収納された記憶媒体アダプタ１６がソケット４１（図４参照）に装着されており、操作者がイジェクトレバー４２の操作を行えば記憶媒体アダプタ１６の排出が可能な状態を示している。このときの第１搬送ローラ７８と第２搬送ローラ８０は、オートイジェクト機構を上方から見て待機位置の０度の状態にある。
【００５８】
図６は、記憶媒体１５を記憶媒体アダプタ１６から排出を開始した状態を示している。駆動モータ２１（図３参照）の正回転により第１回動中心軸７６が反時計回りに９０度回転し、これにより、第１伝達歯車列７１（図３参照）を介して第１搬送ローラ７８も反時計回りに９０度回転して、第１搬送ローラ７８の扇形状体のうち円弧部分が記憶媒体１５に接触する。このとき、第２搬送ローラ８０には時計回りの力が掛かるが、第２搬送ローラ８０は内蔵された一方向クラッチにより回転しない。第１従動ローラ８５（図４参照）は、記憶媒体１５の排出方向に連れ回りすることで、時計回りに回転して行く。
【００５９】
第２従動ローラ８８（図４参照）には反時計回りの力が掛かるので、第２従動ローラ８８は記憶媒体１５の排出方向とは逆向きに付勢されて回転しようとするが、トルクリミッタ８９により一定以上の付勢力が掛からないようになっている。このため、記憶媒体アダプタ１６はソケット４１に押え付けられている状態であり、記憶媒体アダプタ１６から確実に記憶媒体１５の引き抜きが開始される。
【００６０】
図７と図８は、記憶媒体１５を記憶媒体アダプタ１６から排出させて行く状態を示している。第１搬送ローラ７８が図５の状態から反時計回りに１８０度回転し（図７）、続いて反時計回りに２７０度（図８）まで回転することで、記憶媒体１５を排出させて行く。
【００６１】
図９は、記憶媒体１５を記憶媒体アダプタ１６から排出し終わる状態を示している。第１搬送ローラ７８が図５の状態から反時計回りに３６０度回転して、元の待機位置の０度へ戻り、第１搬送ローラ７８の扇形状体の円弧部分は記憶媒体１５から既に離れ、第１マイクロスイッチ９１はＯＦＦとなり、記憶媒体１５が排出されたことを検知することができる。このときの状態は、改めて記憶媒体１５を記憶媒体アダプタ１６に装着する操作を行うことも、イジェクトレバー４２の操作で記憶媒体アダプタ１６をソケット４１から排出することも可能である。
【００６２】
図１０〜図１４は記憶媒体アダプタ１６をオートイジェクト機構のソケット４１から排出する様子を示す斜視図である。図１０では、図９に引き続き記憶媒体アダプタ１６のみをソケット４１に装着してあり、このときの第１搬送ローラ７８と第２搬送ローラ８０は、オートイジェクト機構を上方から見て待機位置の０度の状態にある。
【００６３】
図１１は、記憶媒体アダプタ１６をソケット４１から排出を開始した状態を示している。駆動モータ２１（図３参照）の逆回転により第１回動中心軸７６が時計回りに１８０度回転し、これにより、第１伝達歯車列７１（図３参照）を介して第２搬送ローラ８０も反時計回りに１８０度回転して、第１搬送ローラ７８の扇形状体の円弧部分が記憶媒体１５に接触する。このとき、第１搬送ローラ７８には時計回りの力が掛かるが、第１搬送ローラ７８は内蔵された一方向クラッチにより回転しない。
【００６４】
記憶媒体アダプタ１６の排出動作に伴い、第２従動ローラ軸８７（図４参照）が時計回りするので、第２従動ローラ軸８７に取り付けられた第２従動ローラ８８は、一方向クラッチの作用により駆動力が伝達されず、記憶媒体アダプタ１６の排出方向に連れ回りすることで時計回りに回転して行く。これにより、ソケット４１から記憶媒体アダプタ１６の引き抜きが開始される。
【００６５】
図１２は、記憶媒体アダプタ１６を図１１の状態から第１搬送ローラ７８と対向する位置へ搬送した状態を示している。第２搬送ローラ８０が反時計回りに２７０度回転することで、第２搬送ローラ８０の扇形状体の円弧部分は記憶媒体アダプタ１６から離れる。これに伴い、第２マイクロスイッチ９２がＯＦＦとなる一方で、第１マイクロスイッチ９１がＯＮとなり、記憶媒体アダプタ１６が第１搬送ローラ７８と対向する位置へ搬送されたことを検知できる。ここで、第２搬送ローラ８０の扇形状体の円弧部分の半径寸法を小さく設定している場合、第２搬送ローラ８０を例えば２回転して第１搬送ローラ７８と対向する位置へ確実に搬送するように構成しても構わない。
【００６６】
図１３は、記憶媒体アダプタ１６を第１搬送ローラ７８により排出する状態を示している。第１搬送ローラ７８と対向する位置に搬送された記憶媒体アダプタ１６は、図６に示した場合と同様に、駆動モータ２１の正回転により第１回動中心軸７６が反時計回りに回転し、第１伝達歯車列７１（図３参照）を介して第１搬送ローラ７８も反時計回りに回転することで、第１搬送ローラ７８の扇形状体の円弧部分が記憶媒体アダプタ１６に接触して更に排出方向へ搬送する。第１従動ローラ８５（図４参照）は記憶媒体アダプタ１６の排出方向に連れ回りすることで、時計回りに回転して行く。
【００６７】
図１４は、記憶媒体アダプタ１６を排出し終わる状態を示している。第１搬送ローラ７８の扇形状体の円弧部分は記憶媒体アダプタ１６から離れる。これに伴い、第１マイクロスイッチ９１がＯＦＦとなり、記憶媒体アダプタ１６が排出されたことを検知することができる。
【００６８】
ここでは、記憶媒体アダプタ１６のみをオートイジェクト機構のソケット４１に装着した状態を説明したが、記憶媒体１５が収納された記憶媒体アダプタ１６をソケット４１に装着した状態でも排出動作が成立することが判る。
【００６９】
図１５〜図１７は第１搬送ローラ７８と第２搬送ローラ８０を待機状態に戻す様子を示す斜視図である。図１５で、第１搬送ローラ７８を反時計回りに回転させて、第１センサフラグ９３と第１フォトインタラプタ９４により第１搬送ローラ７８の待機位置の０度を検知することで、第１搬送ローラ７８の回転を停止する。図１６で、第２搬送ローラ８０を反時計回りに回転させて、第２センサフラグ９５と第２フォトインタラプタ９６により第２搬送ローラ８０の待機位置の０度を検知することで、第２搬送ローラ８０の回転を停止する。これにより、第１搬送ローラ７８及び第２搬送ローラ８０は図１７に示す待機状態（両ローラ７８、８０の扇形状体の円弧部分が搬送路とは反対側を向いた状態）になり、改めて記憶媒体１５及び記憶媒体アダプタ１６がソケット４１に装着可能となる。
【００７０】
尚、第１搬送ローラ７８と第２搬送ローラ８０は、一方向クラッチの作用により駆動力が伝達されない回転方向のときでも、多少連れ回りするため、待機位置の０度がずれる場合がある。この場合は、第１搬送ローラ７８と第２搬送ローラ８０が空回転時に連れ回りしないようにするため、少々の回転負荷になるように、第１搬送ローラ軸７７と第２搬送ローラ軸７９にブレーキ部材を設ける構成にしても構わない。
【００７１】
図１８は、記憶媒体アダプタ１６をソケット４１に装着する状態を示している。第１従動ローラ８５は、記憶媒体アダプタ１６の挿入方向に連れ回りすることで反時計回りに回転し、第１搬送ローラ７８と第２搬送ローラ８０（図１７参照）は、短半径の部分（扇形状体の直線を含む部分）が記憶媒体アダプタ１６側へ向いているので、記憶媒体アダプタ１６に接触しない。第２従動ローラ８８も、一方向クラッチの作用により、記憶媒体アダプタ１６の挿入方向に連れ回りすることで反時計回りに回転する。
【００７２】
図１９は、記憶媒体１５を記憶媒体アダプタ１６に装着する状態を示している。上記と同様に、第１従動ローラ８５は、記憶媒体１５の挿入方向に連れ回りすることで反時計回りに回転し、第１搬送ローラ７８は、短半径の部分が記憶媒体１５側へ向いているので、記憶媒体１５に接触しない。図１８と図１９から、記憶媒体１５が記憶媒体アダプタ１６に装着され収納された状態でソケット４１に装着する場合でも挿入動作が成立することが判る。
【００７３】
上述したオートイジェクト機構の動作を簡単にまとめたものを図２０（Ａ）〜図２０（Ｃ）〜図２４（Ａ）〜図２４（Ｃ）に示す。
【００７４】
図２０（Ａ）〜図２０（Ｃ）は記憶媒体１５のみをソケット４１に装着された記憶媒体アダプタ１６から排出する様子を示す概略図であり、記憶媒体１５が図２０（Ａ）の状態から図２０（Ｂ）の状態を経て図２０（Ｃ）の状態へ移動して行くことを示している。
【００７５】
駆動モータ２１（図３参照）の正回転により、第１搬送ローラ７８は反時計回りに回転し、第２搬送ローラ８０は一方向クラッチにより回転しない。第１従動ローラ８５は記憶媒体１５の動きに連れ回りすることで時計回りに回転し、第２従動ローラ８８は記憶媒体アダプタ１６の排出方向とは逆向きに回転しようとするが、トルクリミッタ８９による一定の付勢力により停止している。
【００７６】
図２１（Ａ）〜図２１（Ｃ）は記憶媒体アダプタ１６のみをソケット４１から排出する様子を示す概略図であり、記憶媒体アダプタ１６が図２１（Ａ）の状態から図２１（Ｂ）の状態を経て図２１（Ｃ）の状態へ移動して行くことを示している。
【００７７】
駆動モータ２１の逆回転により、第２搬送ローラ８０は反時計回りに回転し、第１搬送ローラ７８は一方向クラッチにより回転しない。第２従動ローラ８８は一方向クラッチにより記憶媒体アダプタ１６の動きに連れ回りすることで時計回りに回転し、記憶媒体アダプタ１６は図２１（Ａ）の状態から、図２１（Ｂ）に示すように、第１搬送ローラ７８及び第１従動ローラ８５間へ搬送される。そして、図２１（Ｃ）に示すように、記憶媒体アダプタ１６は第１搬送ローラ７８及び第１従動ローラ８５に挟持されて更に搬送される。この場合、駆動モータ２１の正回転により、第１搬送ローラ７８は反時計回りに回転し、第１従動ローラ８５は記憶媒体アダプタ１６の動きに連れ回りすることで時計回りに回転する。
【００７８】
図２２（Ａ）〜図２２（Ｃ）は第１搬送ローラ７８と第２搬送ローラ８０を待機状態にする様子を示す概略図である。
【００７９】
第１搬送ローラ７８は図２２（Ａ）の状態から図２２（Ｂ）の状態へ反時計回りに回転し、待機位置の０度で停止される。そして、第２搬送ローラ８０は図２２（Ｂ）の状態から図２２（Ｃ）の状態へ反時計回りに回転し、待機位置の０度で停止される。これにより、改めて記憶媒体１５及び記憶媒体アダプタ１６がソケット４１に装着可能となる。
【００８０】
図２３（Ａ）〜図２３（Ｃ）は記憶媒体アダプタ１６と記憶媒体１５をソケット４１にそれぞれ装着する様子を示す概略図である。
【００８１】
図２３（Ａ）に示すように、第１搬送ローラ７８〜第２従動ローラ８８間に記憶媒体アダプタ１６のみが存在する場合、第１従動ローラ８５は反時計回りに回転し、第１搬送ローラ７８と第２搬送ローラ８０は記憶媒体アダプタ１６に接触しない。第２従動ローラ８８は一方向クラッチの作用により、記憶媒体アダプタ１６の動きに連れ回りすることで反時計回りに回転する。また、図２３（Ｂ）に示すように、第１搬送ローラ７８及び第１従動ローラ８５間に記憶媒体１５が存在する場合、第１従動ローラ８５は記憶媒体１５の動きに連れ回りすることで反時計回りに回転し、第１搬送ローラ７８は記憶媒体１５に接触せず、図２３（Ｃ）の状態になる。また、記憶媒体１５が装着され収納された記憶媒体アダプタ１６においても同様である。
【００８２】
図２４（Ａ）〜図２４（Ｃ）は記憶媒体１５が記憶媒体アダプタ１６に装着され収納された状態でソケット４１から排出する様子を示す概略図であり、記憶媒体アダプタ１６が図２４（Ａ）の状態から図２４（Ｃ）の状態へ移動して行くことを示している（ＰＣＭＣＩＡカードの場合と同様である）。
【００８３】
上記図２１（Ａ）〜図２１（Ｃ）の場合とほぼ同様で、駆動モータ２１の逆回転により、第２搬送ローラ８０は反時計回りに回転し、第１搬送ローラ７８は一方向クラッチにより回転しない。第１従動ローラ８５と第２従動ローラ８８は記憶媒体１５と記憶媒体アダプタ１６の動きに連れ回りすることで時計回りに回転し、記憶媒体アダプタ１６は図２４（Ａ）の状態から、図２４（Ｂ）に示すように、第１搬送ローラ７８及び第１従動ローラ８５間へ搬送される。そして、図２４（Ｃ）に示すように、記憶媒体アダプタ１６は第１搬送ローラ７８及び第１従動ローラ８５に挟持されて更に搬送される。この場合、駆動モータ２１の正回転により、第１搬送ローラ７８は反時計回りに回転し、第１従動ローラ８５は記憶媒体アダプタ１６の動きに連れ回りすることで時計回りに回転する。
【００８４】
以上説明したように、本実施形態によれば、記憶媒体アダプタ１６を情報処理装置１１から取り外すことなしに、情報処理装置１１に対する記憶媒体１５の着脱を行うことを可能にし、選択的に記憶媒体１５もしくは記憶媒体アダプタ１６の何れか一方または両方をイジェクトすることを可能にしたので、操作性を向上させることができる。
【００８５】
また、従来のように、情報処理装置１１に対する記憶媒体アダプタ１６の不必要な着脱操作を行うことが不要となるため、記憶媒体アダプタ１６のコネクタと情報処理装置１１のコネクタとの間の電気的接続の接触不良を発生させず、コネクタにこじりや不要なストレスを掛けることがないので、コネクタの信頼性を損なうという従来の問題点を解決することができる。
【００８６】
また、従来のように、記憶媒体１５を排出する機構を記憶媒体アダプタ１６に設けることなく、記憶媒体アダプタ１６から記憶媒体１５の取り外しが可能となるので、特殊な記憶媒体アダプタもしくは専用の記憶媒体アダプタを使用せずに、記憶媒体１５の取り出しという目的を実現することができる。
【００８７】
尚、上記実施形態では、ＰＣＭＣＩＡ規格に準拠した記憶媒体と記憶媒体アダプタ（もしくはＰＣＭＣＩＡカード）の例を説明したが、本発明はこれに限定されるものではなく、ＰＣＭＣＩＡ規格に準拠していない他の記憶媒体と記憶媒体アダプタ（もしくは記憶媒体と記憶媒体アダプタを一体化した他のカード型記憶媒体）であっても、基本構成を同じにすれば本発明の効果を得ることができる。
【００８８】
また、上記実施形態では、情報処理装置の例を図２５に示したが、本発明は情報処理装置の特定の形態及び用途に限定されるものではなく、デスクトップ型コンピュータ、ノート型コンピュータなどの各種形態の情報処理装置、パーソナルコンピュータ、電子データベース装置、ワークステーションなどの各種用途の情報処理装置に適用することができる。
【００８９】
［実施態様の例］
本発明の実施態様の例を以下に列挙する。
【００９０】
「実施態様１」  記憶媒体を着脱可能に収納する記憶媒体アダプタが装着される装着手段と、前記記憶媒体アダプタが前記装着手段に装着された状態で、選択的に前記記憶媒体と前記記憶媒体アダプタの何れか一方又は両方を排出する排出手段と、前記排出手段を駆動する駆動手段とを備え、
前記排出手段は、前記駆動手段により発生する正方向の駆動力と逆方向の駆動力とに応じて、前記記憶媒体の排出動作と前記記憶媒体アダプタの排出動作とを切り替えることを特徴とする記憶媒体等排出機構。
【００９１】
「実施態様２」  前記排出手段は、前記駆動手段により前記正方向の駆動力が発生した場合に、前記記憶媒体を前記記憶媒体アダプタから引き抜いて排出する第１の排出部材と、前記駆動手段により前記逆方向の駆動力が発生した場合に、前記記憶媒体アダプタを前記装着手段から引き抜いて排出する第２の排出部材とを備えることを特徴とする実施態様１記載の記憶媒体等排出機構。
【００９２】
「実施態様３」  前記排出手段により選択的に前記記憶媒体を前記装着手段に装着された前記記憶媒体アダプタから排出する場合、前記記憶媒体アダプタに対し排出方向とは逆方向に付勢力を与える付勢手段を備えることを特徴とする実施態様１記載の記憶媒体等排出機構。
【００９３】
「実施態様４」  前記付勢手段は、前記排出手段により選択的に前記記憶媒体アダプタを前記装着手段から排出する動作に連動して、前記付勢力を解除することを特徴とする実施態様３記載の記憶媒体等排出機構。
【００９４】
「実施態様５」  前記付勢手段は、前記排出手段により選択的に前記記憶媒体を前記装着手段に装着された前記記憶媒体アダプタから排出する動作に連動して、前記付勢力を増加することを特徴とする実施態様３記載の記憶媒体等排出機構。
【００９５】
「実施態様６」  前記付勢手段は、前記記憶媒体アダプタを前記装着手段に装着する状態では、前記付勢力が作用しないことを特徴とする実施態様３記載の記憶媒体等排出機構。
【００９６】
「実施態様７」  前記付勢手段の前記付勢力が一定以上の付勢力にならないように規制する規制手段を備えることを特徴とする実施態様３記載の記憶媒体等排出機構。
【００９７】
「実施態様８」  前記記憶媒体アダプタの有無を検知するアダプタ検知手段を備え、前記排出手段は、前記記憶媒体アダプタが前記装着手段に装着された状態を前記アダプタ検知手段により検知した後に、選択的に前記記憶媒体もしくは前記記憶媒体アダプタの何れか一方を排出することを特徴とする実施態様１記載の記憶媒体等排出機構。
【００９８】
「実施態様９」  前記記憶媒体の有無を検知する媒体検知手段を備え、前記排出手段は、前記記憶媒体が前記装着手段に装着された前記記憶媒体アダプタに装着された状態を前記媒体検知手段により検知した後に、選択的に前記記憶媒体を前記記憶媒体アダプタから排出することを特徴とする実施態様１記載の記憶媒体等排出機構。
【００９９】
「実施態様１０」  前記排出手段は、前記装着手段に対する前記記憶媒体アダプタの挿入操作に伴い、前記記憶媒体アダプタを挿入方向に案内して前記装着手段に装着する装着機能を兼用することを特徴とする実施態様１記載の記憶媒体等排出機構。
【０１００】
「実施態様１１」  前記排出手段は、前記装着手段に装着された前記記憶媒体アダプタに対する前記記憶媒体の挿入操作に伴い、前記記憶媒体を挿入方向に案内して前記記憶媒体アダプタに装着する装着機能を兼用することを特徴とする実施態様１記載の記憶媒体等排出機構。
【０１０１】
「実施態様１２」  前記排出手段は、厚さ方向の寸法が異なる複数種類の前記記憶媒体の排出に対応可能であることを特徴とする実施態様１記載の記憶媒体等排出機構。
【０１０２】
「実施態様１３」  前記排出手段は、前記記憶媒体と前記記憶媒体アダプタを一体化したカード型記憶媒体の排出に対応可能であることを特徴とする実施態様１記載の記憶媒体等排出機構。
【０１０３】
「実施態様１４」  記憶媒体等排出機構を搭載した情報処理装置であって、
前記記憶媒体等排出機構は、記憶媒体を着脱可能に収納する記憶媒体アダプタが装着される装着手段と、前記記憶媒体アダプタが前記装着手段に装着された状態で、選択的に前記記憶媒体と前記記憶媒体アダプタの何れか一方又は両方を排出する排出手段と、前記排出手段を駆動する駆動手段と、前記記憶媒体を前記装着手段に装着された前記記憶媒体アダプタから排出する場合、前記記憶媒体アダプタに対し排出方向とは逆方向に付勢力を与える付勢手段とを備えることを特徴とする情報処理装置。
【０１０４】
【発明の効果】
以上説明したように、本発明によれば、記憶媒体等排出機構は、記憶媒体を着脱可能に収納する記憶媒体アダプタが着脱可能に装着される装着手段と、記憶媒体アダプタが装着手段に装着された状態で、選択的に記憶媒体と記憶媒体アダプタの何れか一方又は両方を排出する排出手段とを備える構成としている。即ち、記憶媒体アダプタを装着手段から取り外すことなしに、記憶媒体アダプタに対する記憶媒体の着脱を可能にし、選択的に記憶媒体もしくは記憶媒体アダプタの何れか一方又は両方を排出することを可能にしたので、操作性を向上させることができる。
【０１０５】
また、従来のように、装着手段に対する記憶媒体アダプタの不必要な着脱操作を行うことが不要となるため、記憶媒体アダプタのコネクタと装着手段のコネクタとの間の電気的接続の接触不良を発生させず、コネクタにこじりや不要なストレスを掛けることがないので、コネクタの信頼性を損なうという従来の問題点を解決することができる。
【０１０６】
また、従来のように、記憶媒体を排出する機構を記憶媒体アダプタに設けることなく、記憶媒体アダプタから記憶媒体の取り外しが可能となるので、特殊な記憶媒体アダプタもしくは専用の記憶媒体アダプタを使用せずに、記憶媒体の取り出しという目的を実現することができる。
【図面の簡単な説明】
【図１】本発明の実施の形態に係るオートイジェクト機構をその正面に対し右斜め上方から見た場合を示す斜視図である。
【図２】オートイジェクト機構をオートイジェクト機構をその正面に対し左斜め上方から見た場合を示す斜視図である。
【図３】オートイジェクト機構の内部構造をその正面に対し右斜め上方から見た場合を示す斜視図である。
【図４】オートイジェクト機構の内部構造をその正面に対し左斜め上方から見た場合を示す斜視図である。
【図５】記憶媒体アダプタからの記憶媒体の排出を待機している様子を示す斜視図である。
【図６】記憶媒体アダプタからの記憶媒体の排出を開始する様子を示す斜視図である。
【図７】記憶媒体アダプタからの記憶媒体の排出途中の様子を示す斜視図である。
【図８】記憶媒体アダプタからの記憶媒体の排出が更に進行した様子を示す斜視図である。
【図９】記憶媒体アダプタからの記憶媒体の排出が終了した様子を示す斜視図である。
【図１０】ソケットからの記憶媒体アダプタの排出を待機している様子を示す斜視図である。
【図１１】ソケットからの記憶媒体アダプタの排出を開始する様子を示す斜視図である。
【図１２】ソケットからの記憶媒体アダプタの排出途中の様子を示す斜視図である。
【図１３】ソケットからの記憶媒体アダプタの排出が更に進行した様子を示す斜視図である。
【図１４】ソケットからの記憶媒体アダプタの排出が終了した様子を示す斜視図である。
【図１５】第１搬送ローラを待機位置へ戻す様子を示す斜視図である。
【図１６】第２搬送ローラを待機位置へ戻す様子を示す斜視図である。
【図１７】第１搬送ローラと第２搬送ローラが待機位置に戻った様子を示す斜視図である。
【図１８】記憶媒体アダプタをソケットに装着する様子を示す斜視図である。
【図１９】記憶媒体を記憶媒体アダプタに装着する様子を示す斜視図である。
【図２０】（Ａ）〜（Ｃ）は記憶媒体のみをソケットから排出する様子を示す概略図である。
【図２１】（Ａ）〜（Ｃ）は記憶媒体アダプタのみをソケットから排出する様子を示す概略図である。
【図２２】（Ａ）〜（Ｃ）は第１搬送ローラと第２搬送ローラを待機状態にする様子を示す概略図である。
【図２３】（Ａ）〜（Ｃ）は記憶媒体アダプタと記憶媒体をソケットにそれぞれ装着する様子を示す概略図である。
【図２４】（Ａ）〜（Ｃ）は記憶媒体が記憶媒体アダプタに装着収納された状態で排出する様子を示す概略図である。
【図２５】情報処理装置の外観を示す斜視図である。
【図２６】情報処理装置と記憶媒体と記憶媒体アダプタの外観を示す斜視図である。
【図２７】記憶媒体と記憶媒体アダプタの外観を示す斜視図である。
【図２８】情報処理装置の電気的構成を示すブロック図である。
【符号の説明】
１１  情報処理装置
１５  記憶媒体
１６  記憶媒体アダプタ
１８  ＰＣＭＣＩＡカード
２１  駆動モータ（駆動手段）
４１  ソケット（装着手段）
４２  イジェクトレバー
７６  第１回動中心軸
７７  第１搬送ローラ軸
７８  第１搬送ローラ（排出手段、第１の排出部材）
７９  第２搬送ローラ軸
８０  第２搬送ローラ（排出手段、第２の排出部材）
８４  第１従動ローラ軸
８５  第１従動ローラ（排出手段、第１の排出部材）
８６  第２回動中心軸
８７  第２従動ローラ軸
８８  第２従動ローラ（排出手段、第２の排出部材、付勢手段）
８９  トルクリミッタ（規制手段）
９１  第１マイクロスイッチ（媒体検知手段）
９２  第２マイクロスイッチ（アダプタ検知手段）
【図１】
2004280261.tif 000003
【図２】
2004280261.tif 000004
【図３】
2004280261.tif 000005
【図４】
2004280261.tif 000006
【図５】
2004280261.tif 000007
【図６】
2004280261.tif 000008
【図７】
2004280261.tif 000009
【図８】
2004280261.tif 000010
【図９】
2004280261.tif 000011
【図１０】
2004280261.tif 000012
【図１１】
2004280261.tif 000013
【図１２】
2004280261.tif 000014
【図１３】
2004280261.tif 000015
【図１４】
2004280261.tif 000016
【図１５】
2004280261.tif 000017
【図１６】
2004280261.tif 000018
【図１７】
2004280261.tif 000019
【図１８】
2004280261.tif 000020
【図１９】
2004280261.tif 000021
【図２０】
2004280261.tif 000022
【図２１】
2004280261.tif 000023
【図２２】
2004280261.tif 000024
【図２３】
2004280261.tif 000025
【図２４】
2004280261.tif 000026
【図２５】
2004280261.tif 000027
【図２６】
2004280261.tif 000028
【図２７】
2004280261.tif 000029
【図２８】
2004280261.tif 000030